(57)【要約】【目的】正立状態及び逆立状態で上下に積み重ねでき、不使用時は正逆何れの状態でも互いに他のラックを収納できる入れ子式ラックを提供する。【解決手段】左右の前柱１，１及び後柱２，２の４本の柱の下端部に積載床３を設け、左右前柱１，１の内法間隔を左右後柱２，２の外法間隔よりも広くし、左右の後柱２，２に後部上梁４を架設し、後部上梁４の端部と前柱１の上端部とに亘ってサイド上梁５を架設し、前柱１の前面１ａ下端部に前柱と同じ太さの短寸柱１１を取り付け、前柱１の上端面１ａに積み重ね用嵌合突起１３を設け、前柱１の下端面には積み重ね用嵌合突起１３が嵌合する嵌合穴を設け、積載床３の下方には何も突起物のない空間部を設ける。【選択図】　　　　図１
2004115037.tif 000002
【特許請求の範囲】
【請求項１】
正立状態及び逆立状態の何れで使用する時も上下に積み重ねでき、不使用時は正逆何れの状態でも互いに他のラックを入れ子式に収納でき、下記▲１▼〜▲５▼を特徴とする入れ子式ラック。
▲１▼．左右の前柱及び後柱の４本の柱の下端側に積載床を設け、左右前柱の内法間隔を左右後柱の外法間隔よりも広くする。
▲２▼．左右の後柱の上端面に亘って後部上梁を架設し、後部上梁の上面端部と前柱の上端部とに亘ってサイド上梁を架設する。
▲３▼．前柱を積載床の前面に対し柱１個分後退させて配置すると共に、前柱の前面下端部に前柱と同じ太さの短寸柱を取り付け、前柱の上端面に積み重ね用嵌合突起を設け、前柱の下端面には積み重ね用嵌合突起が嵌合する嵌合穴を設ける。
▲４▼．後部上梁の上面が前柱の上端面と同一水平面に位置し、積み重ね用嵌合突起の背面側にサイド上梁の前端面が位置し、サイド上梁の上面が積み重ね用係合突起の上端と略同一水平面に位置し、サイド上梁の内側面と後部上梁の上面との交差部に積み重ね用柱下端部嵌合部を形成する。
▲５▼．積載床の下方には、左右前柱の内側面と左右後柱の前面と積載床の下面とで囲まれる一定の空間部を設ける。
【請求項２】
請求項１に記載の入れ子式ラックであって、左右後柱の外法間隔が積載床の外法幅よりも大きく、前柱の内側面下端部と積載床の前横梁の背面端部と縦梁の外側面端部との間に形成される空間部には積載床上面を塞ぐ前部受け金具を取り付けると共に、後柱の前面下端部と積載床の縦梁の外側面端部との間の空間部には積載床上面に沿った板部と後柱の外側面に沿った板部とからなる後部受け金具を取り付けてなる少なくとも２台の入れ子式ラックを、夫々逆立状態で下記▲１▼に示す連結床を介して連結してなる連結ラック。
▲１▼．前後の横梁、左右縦梁及び格子状中間梁からなる連結床で、前横梁の前面側両端部には前部受け金具に係止される係止金具を設け、後横梁の背面両端部には後部受け金具に係止される係止金具を設ける。
【請求項３】
左右各サイド上梁の下面に金具受けを設け、連結すべきラックの左右側面同士を隣接させて、隣合うラックの隣合う金具受けに亘って連結金具を係着することにより、ラックの側面同士を連結するようにした請求項１に記載の入れ子式ラック、又は請求項２に記載の連結ラック。
【請求項４】
左右後柱の互いに対向する内側面に金具受けを設け、連結すべきラックの背面同士を隣接させて、隣合うラックの隣合う金具受けに亘って連結金具を係着することにより、ラックの背面同士を連結するようにした請求項１又は３に記載の入れ子式ラック、又は請求項２又は３に記載の連結ラック。
【請求項５】
前柱及び後柱は夫々、断面コ字状又はＣ字状の前面側柱材と断面方形の背面側柱材とを一体的に結合して形成し、前面側柱材の前面に柱長手方向一定ピッチで金具係止孔を設けている請求項１，３，４の何れかに記載の入れ子式ラック、又は請求項２〜４の何れかに記載の連結ラック。
【請求項６】
周枠と格子状中桟とからなり、周枠の上下両側に係止金具を取り付けたサイドガードを備え、このサイドガードを、前柱と後柱とサイド上梁と積載床の縦梁との間の空間部に配置し、周枠の係止金具を、サイド上梁に設けられた前記金具受けと積載床の縦梁に設けられた金具受けとに夫々係止することにより正逆何れの状態でも取り付けできるようにした請求項２〜５の何れかに記載の連結ラック。
【請求項７】
夫々周枠と格子状中桟とからなるトップサイドガード及びトップ背面ガードを備え、トップサイドガードの周枠の一端側下部には、前柱の下端部に設けた嵌合穴に嵌合する嵌合部材を下向きに突設し、周枠の他端側上下部にはＬ字状の係止金具を下向きに突出し、トップ背面ガードの周枠の両端部には夫々上下部に、トップサイドガードの上下の係止金具を受ける金具受けを設け、周枠の下端部には、後柱下端側に設けた開口部に嵌合する嵌合部材を下向きに突設し、しかしてトップ背面ガードを逆立状態のラックの背面側に配し、嵌合部材を両後柱の下端側の開口部に嵌合してトップ背面ガードを立設し、トップサイドガードの一端側の嵌合部材を前柱１下端の嵌合穴に嵌合すると共に、他端側上下部のＬ字状係止金具をトップ背面ガードの金具受けに夫々係止することにより、トップサイドガードを立設してなる請求項１，３〜６の何れかに記載の入れ子式ラック、又は請求項２〜６の何れかに記載の連結ラック。
【発明の詳細な説明】
【０００１】
【発明の属する技術分野】
本発明は、物品保管用のラックとして使用する際には上下に積み重ねることができ、不使用時には同一構造の他のラックを内部に収納できる謂入れ子式のラックに関し、特に本発明は、正立状態及び逆立状態の何れで使用する時も上下に積み重ねでき、不使用時は正逆何れの状態でも互いに他のラックを入れ子式に収納できるようにした入れ子式ラック、及び逆立状態での使用時に少なくとも２台の入れ子式ラックを、連結床を介して連結してなる連結ラックに関する。
【０００２】
【従来の技術】
従来の入れ子式ラックは、積載床を前後左右の４本の柱で支え、左右前柱の内法間隔が左右後柱の外法間隔よりも広く、左右下部縦梁の内法間隔が左右前柱の内法間隔に等しく、積載床の外法幅が左右前柱の内法間隔より狭く、また左右前柱の直上にＶ字形の受け具を設け、左右の前柱の直下には受け具と嵌合するＶ字形の嵌合具を設けてなるもので、各種工業製品や商品等の物品を保管する棚として使用する時は多段に積み重ねることができ、不使用時には入れ子式に相互に内部に収納できるので、スペースの節約、輸送費の削減が可能になる極めて合理的なものである（例えば、特許文献１参照）。
【０００３】
【特許文献１】
特開平９−２４９３８号公報（第１〜４頁、図１及び図２）。
【０００４】
【発明が解決しようとする課題】
上記公報に記載の入れ子式ラックは、積載床を前後左右の４本の柱の上端部側に設け、積載床が上にある状態を正立状態として、この正立状態で上下に積み重ねて使用し、また不使用時には正立状態で互いに他のラックを入れ子式に収納するようにしたもので、上記の正立状態から積載床が下にくるように引っ繰り返した逆立状態で、上下に積み重ねて使用したり、入れ子式に収納することはできない。
【０００５】
本発明は、積載床を前後左右の４本の柱の下端側に設け、積載床が下にある状態を正立状態として、この正立状態及び逆立状態で上下に積み重ねでき、また不使用時は正逆何れの状態でも互いに他のラックを入れ子式に収納できるようにした入れ子式ラックを提供することを目的とする。また本発明は、上記逆立状態での使用時に少なくとも２台の入れ子式ラックを、連結床を介して連結してなる連結ラックを提供することを目的とする。
【０００６】
【課題を解決するための手段】
請求項１に係る発明は、正立状態及び逆立状態の何れで使用する時も上下に積み重ねでき、不使用時は正逆何れの状態でも互いに他のラックＲを入れ子式に収納できる入れ子式ラックＲであって、下記▲１▼〜▲５▼を特徴とする。
【０００７】
▲１▼．左右の前柱１，１及び後柱２，２の４本の柱の下端側に積載床３を設け、左右前柱１，１の内法間隔Ｗ１　を左右後柱２，２の外法間隔Ｗ２　よりも広くする。
▲２▼．左右の後柱２，２の上端面に亘って後部上梁４を架設し、後部上梁４の上面４ｃ端部と前柱１の上端部とに亘ってサイド上梁５を架設する。
▲３▼．前柱１を積載床３の前面６ａに対し柱１個分後退させて配置すると共に、前柱１の前面１ａ下端部に前柱と同じ太さの短寸柱１１を取り付け、前柱１の上端面１ａに積み重ね用嵌合突起１３を設け、前柱１の下端面には積み重ね用嵌合突起１３が嵌合する嵌合穴１４を設ける。
▲４▼．後部上梁４の上面４ｃが前柱１の上端面１ｃと同一水平面に位置し、積み重ね用嵌合突起１３の背面側にサイド上梁５の前端面５ａが位置し、サイド上梁５の上面５ｃが積み重ね用係合突起１３の上端と略同一水平面に位置し、サイド上梁５の内側面５ｅと後部上梁４の上面４ｃとの交差部に積み重ね用柱下端部嵌合部１７を形成する。
▲５▼．積載床３の下方には、左右前柱１，１の内側面と左右後柱２，２の前面と積載床３の下面とで囲まれる一定の空間部Ｓ１を設ける。
【０００８】
請求項２は、請求項１に記載の入れ子式ラックであって、左右後柱２，２の外法間隔Ｗ２　が積載床３の外法幅Ｗ４　よりも大きく、前柱１の内側面下端部と積載床３の前横梁６の背面６ｂ端部と縦梁８の外側面８ｆ端部との間に形成される空間部には積載床３上面を塞ぐ前部受け金具２４を取り付けると共に、後柱２の前面２ａ下端部と積載床３の縦梁８の外側面８ｆ端部との間の空間部には積載床３上面に沿った板部２５ａと後柱２の外側面２ｆに沿った板部２５ｂとからなる後部受け金具２５を取り付けてなる少なくとも２台の入れ子式ラックＲを、夫々逆立状態で下記▲１▼に示す連結床４１を介して連結してなる連結ラックである。
【０００９】
▲１▼．前後の横梁４２，４３、左右縦梁４４，４４及び格子状中間梁４５からなる連結床４１で、前横梁４２の前面側両端部には前部受け金具２４に係止される係止金具４６，４６を設け、後横梁４３の背面側両端部には後部受け金具２５に係止される係止金具４７，４７を設ける。
【００１０】
請求項３は、請求項１に記載の入れ子式ラック、又は請求項２に記載の連結ラックにおいて、左右各サイド上梁５の下面に金具受け１８を設け、連結すべきラックＲ，Ｒの左右側面同士を隣接させて、隣合うラックＲ，Ｒの隣合う金具受け１８，１８に亘って連結金具２１を係着することにより、ラックＲ，Ｒの側面同士を連結するようにしたことを特徴とする。
【００１１】
請求項４は、請求項１又は３に記載の入れ子式ラック、又は請求項２又は３に記載の連結ラックにおいて、左右後柱２，２の互いに対向する内側面に金具受け２２を設け、連結すべきラックＲ，Ｒの背面同士を隣接させて、隣合うラックＲ，Ｒの隣合う金具受け２２，２２に亘って連結金具２３を係着することにより、ラックＲ，Ｒの背面同士を連結するようにしたことを特徴とする。
【００１２】
請求項５は、請求項１，３，４の何れかに記載の入れ子式ラック、又は請求項２〜４の何れかに記載の連結ラックにおいて、前柱１及び後柱２は夫々、断面コ字状又はＣ字状の前面側柱材１１　，２１　と断面方形の背面側柱材１２　，２２　とを一体的に結合して形成し、前面側柱材１１　，２１　の前面に柱長手方向一定ピッチで金具係止孔１０を設けていることを特徴とする。
【００１３】
請求項６は、請求項２〜５の何れかに記載の連結ラックにおいて、周枠３６と格子状中桟３７とからなり、周枠３６の上下両側に係止金具３８，３９を取り付けたサイドガードＳＧを備え、このサイドガードＳＧを、前柱１と後柱２とサイド上梁５と積載床３の縦梁８との間の空間部に配置し、周枠３６の係止金具３８，３９を、サイド上梁５に設けられた前記金具受け１８と積載床３の縦梁８に設けられた金具受け２０とに夫々係止することにより正逆何れの状態でも取り付けできるようにしたことを特徴とする。
【００１４】
請求項７は、請求項１，３〜６の何れかに記載の入れ子式ラック、又は請求項２〜６の何れかに記載の連結ラックにおいて、夫々周枠４８，５２と格子状中桟４９，５３とからなるトップサイドガードＴＳＧ及びトップ背面ガードＴＢＧを備え、トップサイドガードＴＳＧの周枠４８の一端側下部には、前柱１の下端部に設けた嵌合穴１４に嵌合する嵌合部材５０を下向きに突設し、周枠４８の他端側上下部にはＬ字状の係止金具５１，５１を下向きに突出し、トップ背面ガードＴＢＧの周枠５２の両端部には夫々上下部に、トップサイドガードＴＳＧの上下の係止金具５１，５１を受ける金具受け５４，５４を設け、周枠５２の下端部には、後柱２下端側に設けた開口部２６ａに嵌合する嵌合部材５５を下向きに突設し、しかしてトップ背面ガードＴＢＧを逆立状態のラックＲの背面側に配し、嵌合部材５５，５５を両後柱２，２の下端側の開口部２６ａ，２６ａに嵌合してトップ背面ガードＴＢＧを立設し、トップサイドガードＴＳＧの一端側の嵌合部材５０を前柱１下端の嵌合穴１４に嵌合すると共に、他端側上下部のＬ字状係止金具５１，５１をトップ背面ガードＴＢＧの金具受け５４，５４に夫々係止することにより、トップサイドガードＴＳＧを立設することを特徴とする。
【００１５】
【発明の実施の形態】
図１は本発明に係る入れ子式ラックＲを正立状態で示す斜視図、図２の（Ａ）はそのラックＲの正面図、（Ｂ）は（Ａ）のＶ−Ｖ線断面図、図３の（Ａ）はラックＲの右側面図、（Ｂ）はその背面図である。また図４の（Ａ）は図１の矢印イで示す部分の拡大図、（Ｂ）は図１の矢印ロで示す部分の拡大図、図５の（Ａ）は図１の矢印ハで示す部分の拡大図、（Ｂ）は図１の矢印ニで示す部分の拡大図である。図１において、１は左右の前柱、２は左右の後柱、３は４本の柱１，１，２，２の下端部に枠組み形成された積載床、４は左右の後柱２，２の上端面に亘って架設された後部上梁、５は前柱１の上端部と後部上梁４の上面端部とに亘って架設されたサイド上梁である。積載床３は、前後横梁６，７、左右縦梁８，８及び格子状の中間梁９からなり、中間梁９は、縦梁９１　と横梁９２　とを格子組みしたものである。
【００１６】
前柱１、後柱２、後部上梁４、サイド上梁５、積載床３の前後横梁６，７、左右縦梁８，８及び中間梁９（縦梁９１　と横梁９２　）は、夫々同じ太さの断面正方形に形成されている。前柱１及び後柱２は、図１５の（Ｄ）に示すように、断面コ字状（又は断面Ｃ字状）の前面側柱材１１　，２１　と断面長方形の背面側柱材１２　，２２　とを一体的に結合して断面正方形に形成されたもので、前面側柱材１１　，２１　の前面には、柱長手方向一定ピッチで金具係止孔１０が設けられている。このように各柱１，２が断面コ字状（又は断面Ｃ字状）の前面側柱材１１　，２１　と断面長方形の背面側柱材１２　，２２　とで形成されて、前面側柱材１１　，２１　側に金具係止孔１０が設けられているから、金具係止孔１０を設けたことによって柱としての強度が低下するようなことがない。
【００１７】
図２の（Ｂ）に示すように、左右の前柱１，１の内法間隔をＷ１　とし、左右の後柱２，２の外法間隔をＷ２　とすれば、Ｗ１　＞Ｗ２　で、Ｗ１　はＷ２　よりもわずかに広い。また、左右後柱２，２の内法間隔をＷ３　とし、積載床３の外法幅、つまり左右縦梁８，８の外法間隔をＷ４　とすれば、Ｗ３　＝Ｗ４　である。また、図２の（Ｂ）から分かるように、左右のサイド上梁５，５の内法間隔は、左右の前柱１，１の内法間隔Ｗ１　に略等しい。このような基本構造によって、このラックＲは、同じ構造のラックＲに対して入れ子式に収納（ネスティング）することができる（図９参照）。
【００１８】
本発明のラックＲの特徴の一つは、図４の（Ａ）及び図５の（Ａ）から分かるように、前柱１を積載床３の前横梁６の前面ａに対し柱１個分後退させて配置すると共に、前柱１の前面１ａ下端部に前柱１と同じ太さ（同じ大きさの断面形）の短寸柱１１を取り付け、この短寸柱１１の上端面に角錐台形状の収納用嵌合突起１２を突設すると共に、前柱１の上端面に同じく角錐台形状の積み重ね用嵌合突起１３突設し、そして前柱１の下端面には収納用嵌合突起１２及び積み重ね用嵌合突起１３が嵌合可能な嵌合穴１４を設けたことにある。前柱１の下端面の嵌合穴１４は図７の（Ａ）に示す。
【００１９】
また、図２の（Ａ）、図３の（Ａ）、及び図４の（Ａ），（Ｂ）から分かるように、前柱１の上端面１ｃに突設された積み重ね用嵌合突起１３の背面側に所要の隙間ｋを隔ててサイド上梁５の前端面５ａが位置し、このサイド上梁５の上面５ｃが積み重ね用嵌合突起１３の上端と略同一水平面に位置すると共に、サイド上梁５の下面５ｄが前柱１の上端面１ｃと同一水平面に位置し、またサイド上梁５は後端部が後部上梁４の上面４ｃに載置固定されているから、後部上梁４の上面４ｃはサイド上梁５の上面５ｃよりも積み重ね用嵌合突起１３の高さ分だけ低位置にあり、しかして図４の（Ｂ）に示すようにサイド上梁５の内側面５ｅと後部上梁４の上面４ｃとの交差部に積み重ね用柱下端部嵌合部１７が形成される。サイド上梁５の前端部は、前柱１の背面上端部に取り付けられた取付台片１５上に固着されており、またサイド上梁５の後端面から後部上梁４の背面４ｂに亘って補助板１６が固着してあって、この補助板１６が上記積み重ね用柱下端部嵌合部１７の背面部を位置規制する規制板となる。
【００２０】
図２の（Ｂ）から分かるように、積載床３は、４本の柱１，１，２，２の下端から、当該積載床３を構成する各梁６〜９の太さ（柱１，２の太さと同じ）の約２倍分の長さ上方へ隔たった位置に積載床３の下面が位置するように設けられ、この積載床３の下面と接地床面Ｆ（図２の（Ａ）参照）との間に一定の空間部Ｓ１が形成され、この空間部Ｓ１は、具体的に、左右前柱１，１の内側面１ｅ，１ｅ、後柱２，２の前面２ａ，２ａ及び積載床３の下面によって囲まれる空間部で、何も突起物がない。
【００２１】
図１、図４及び図５に示すように、左右各サイド上梁５の下面５ｄの両端部に角筒状の金具受け１８が取付部片１９を介して前後方向に開通するように取り付けられ、積載床３の左右各縦梁８の外側面８ｆの両端部には金具受け１８と同様に前後方向に開通する角筒状の金具受け２０が取り付けられている。サイド上梁５側の金具受け１８は、図１２及び図１３に示すように、連結すべきラックＲ，Ｒの左右側面同士を隣接させて、隣合うラックＲ，Ｒの隣合う金具受け１８，１８に亘って連結金具２１を係着することにより、ラックＲ，Ｒの側面同士を連結するためのものである。尚、これらの金具受け１８及び金具受け２０は、後述するサイドガードＳＧを取り付ける場合にも使用される。
【００２２】
また図１及び図４に示すように、左右後柱２，２の互いに対向する内側面２ｅ，２ｅには夫々上下両端部に上下方向に開通する細長角筒状の金具受け２２が設けられている。この金具受け２２は、図１２に示すように、連結すべきラックＲ，Ｒの背面同士を隣接させて、隣合うラックＲ，Ｒの隣合う金具受け２２，２２に亘って連結金具２３を係着することにより、ラックＲ，Ｒの側面同士を連結するためのものである。尚、この金具受け２２は、後述する背面ガードＢＧを取り付ける場合にも使用される。
【００２３】
図６は、図１に示す正立状態のラックＲを逆立状態で示す斜視図であり、図７の（Ａ）は図６の矢印ホで示す部分の拡大図、（Ｂ）は図６の矢印ヘで示す部分の拡大図である。図７の（Ａ）から分かるように、前柱１の下端（図６や図７では上端となる）には積み重ね用嵌合突起１３が嵌合する嵌合穴１４が形成され、また前柱１の内側面１ｅと積載床３の前横梁６の背面６ｂと縦梁８の外側面８ｆとの間に形成される空間部の上面（図６や図７では下面となる）を塞ぐような前部平板状の前部受け金具２４が積載床３の上面（図６や図７では下面となる）と面一に取り付けられている。この逆立状態のラックＲは、図６に示すように、左右のサイド上梁５，５を床面に接地させて、安定状態となっている。
【００２４】
また、図７の（Ｂ）から分かるように、後柱２の前面２ａと積載床３の縦梁８の外側面８ｆとの交差部には、積載床３の上面（図６や図７では下面となる）に沿って面一状に延びる板部２５ａと、後柱２の外側面２ｆに沿った板部２５ｂとからなる後部受け金具２５が取り付けられている。２６は後柱２の内側面２ｅ下端部と積載床３の後横梁７の下面７ｄ端部とのコーナー部に取り付けられた補助金具で、開口部２６ａを有し、この補助金具２６の下端面は後柱２の下端面と面一である。
【００２５】
図６及び図７から分かるように、左右の前柱１，１及び後柱２，２の夫々下端面（図６や図７では上端面となる）は同一水平面上にあり、また前述したように、左右前柱１，１の内側面１ｅ，１ｅ、後柱２，２の前面２ａ，２ａ及び積載床３の下面（図６や図７では上面となる）によって囲まれる空間部Ｓ１（図２及び図３参照）内には何も突起物がない。
【００２６】
図８は、上記のような構成よりなるラックＲを正立状態で上下に積み重ねた状態を示す。この積み重ね状態では、下段側ラックＲにおける前柱１の上端にある積み重ね用嵌合突起１３が上段側ラックＲにおける前柱１の下端にある嵌合穴１４に嵌合すると共に、下段側ラックＲにおける後柱２の下端部が、サイド上梁５の内側面５ｅと後部上梁４の上面４ｃとのコーナー部に形成された積み重ね用柱下端嵌合部１７（図４の（Ｂ）参照）に嵌合し、それにより上段側ラックＲは前後方向及び左右方向の移動が制限されるから、前後方向の振動及び左右方向の振動が加わっても、上段側ラックＲが転落する可能性はきわめて少ない。
【００２７】
この場合、図４の（Ｂ）から分かるように、積み重ね用柱下端部嵌合部１７の背面部が補助板１６によって位置規制されているから、上段側ラックＲの前後方向移動がより確実に阻止される。ここでは、ラックＲを上下２段に積み上げた例しか示していないが、３段以上積み上げることが可能である。
【００２８】
図９は、不使用時に正立状態の一つのラックＲの内部に他のラックＲを収納した状態を示す。この正立収納状態においては、上段側ラックＲが下段側ラックＲに対し柱１，２の１本分だけ前方へ移動した状態で下段側ラックＲ内に収容されて、上段側ラックＲにおける前柱１の下端嵌合穴１４が下段側ラックＲの短寸柱１１の収納用嵌合突起１２に嵌合されると共に、後柱２が下段側ラックＲの後部受け金具２５の板部２５ａ及び縦梁８の上面（図５及び図７参照）上に載置される。従って、前後方向の振動及び左右方向の振動が加わっても、上段側ラックＲが離脱することはない。
【００２９】
図１０は、ラックＲを逆立状態で上下に積み重ねた状態を示す。この逆立積み重ね状態では、下段側ラックＲの前柱１の嵌合穴１４に上段側ラックＲの前柱１の積み重ね用嵌合突起１３が嵌合すると共に、上段側ラックＲの積み重ね用柱下端部嵌合部１７（図４参照）に下段側ラックＲの後柱２の下端部（図１０では上端部）が嵌合し、上段側ラックＲは、前後方向及び左右方向の移動が制限され、前後方向の振動及び左右方向の振動が加わっても、上段側ラックＲが転落することは殆どない。
【００３０】
図１１は、不使用時に逆立状態の一つのラックＲの内部に他のラックＲを収納した状態を示す。この逆立収納状態において、上段側ラックＲは、下段側ラックＲに対し柱１，２の１本分だけ後方へ移動した状態で、この下段ラックＲの上に被さるようにして入れ子式に収納されて、上段側ラックＲの前柱１の嵌合穴１４に下段側ラックＲの短寸柱１１の収納用嵌合突起１２が嵌合すると共に、下段側ラックＲの後柱２の下端（図１１では上端）が上段側ラックＲの後部受け金具２５の板部２５ａ及び縦梁８（図５及び図７参照）で支持される。従って、正立収納時と同様に、前後方向の振動及び左右方向の振動が加わっても、上段側ラックＲが離脱することはない。
【００３１】
図１２の（Ａ）は、互いに隣合うラックＲ，Ｒ同士を連結金具２１，２３によって連結する場合を示す。同図の（Ｂ）は、連結金具２３を示す斜視図であり、同図の（Ｃ）は、（Ａ）の矢印トで示す部分の拡大図で、背面同士隣合うラックＲ，Ｒの金具受け２２，２２同士が連結可能に隣接した状態を示し、そして同図の（Ｄ）は、連結可能に隣接した両金具受け２２，２２に亘って連結金具２３を係着し、双方のラックＲ，Ｒを背面同士連結した状態を示す。連結金具２３は、金属板を把手部２３ａと本体部２３ｂとからなるＬ字状に折曲し、本体部２３ｂに切欠溝ｇを形成してなるもので、（Ｃ）及び（Ｄ）に示すように隣接した両金具受け２２，２２に本体部２３ｂの切欠溝ｇを差し込んで係着するようになっている。
【００３２】
図１３の（Ａ）は、左右側面同士隣合うラックＲ，Ｒの金具受け１８，１８同士が連結可能に隣接した状態ならびに連結金具２１を示し、同図の（Ｂ）は、連結可能に隣接した両金具受け１８，１８に連結金具２１を係着しようとしている状態を示し、同図の（Ｃ）は、両金具受け１８，１８に連結金具２１を係着し終えた状態を示す。この連結金具２１は、金属板をＬ字状に折曲して把手部２１ａと本体部２１ｂとを形成すると共に、本体部２１ｂの先端側を把手部２１ａとは逆向きにＬ字状に折曲し、本体部２１ｂを切欠溝ｇを介して二股状に形成してなるもので、（Ｃ）及び（Ｄ）に示すように隣接した両金具受け１８，１８に二股状本体部２１ｂを差し込んで係着し、それによって隣合うラックＲ，Ｒを左右側面同士連結するようになっている。
【００３３】
図１４は、正立状態で使用されるラックＲに中棚２７を取り付けた状態を示す図１と同様な斜視図である。図１５の（Ａ）は中棚２７の平面図、（Ｂ）は正面図、（Ｃ）は側面図、（Ｄ）は中棚２７の取付状態の要部を示す斜視図である。図１６の（Ａ）の（ａ）　は図１５の（Ａ）の矢印リで示す部分の拡大図、（ｂ）　は同部分の側面図、（ｃ）　は同部分の正面図であり、また図１６の（Ｂ）の（ａ）　は図１５の（Ａ）の矢印ヌで示す部分の拡大図、（ｂ）　は同部分の側面図である。
【００３４】
中棚２７は、前横桟２８と後横桟２９と左右縦桟３０，３０と格子状中桟６１とからなるもので、図１４に示すように、前後左右４本の柱１，１，２，２で囲まれる空間部の所要高さ位置に取り付けられる。また、この中棚２７は、図１４及び図１５の（Ａ）に示すように、外法幅、即ち左右縦桟３０，３０の外法間隔Ｗ５　が左右前柱１，１の内法間隔Ｗ１　よりも僅かに狭く、且つ前横桟２８の長さＬ１　が左右前柱１，１の外法間隔Ｗ６　と略等しく、尚且つ前横桟２８の後側面から後横桟２９の後側面までの距離Ｌ２　が前柱の前側面から後柱の前側面までの距離に略等しくなっている。また、中棚２７の後横桟２９及び前横桟２８の夫々両端部には、後柱２の前面２ａ及び前柱１の前面１ａに設けられた金具係止孔１０に係止可能な夫々Ｌ字状の係止金具３１，３２が取り付けられている。
【００３５】
しかして、この中棚２７の取付けにあたっては、中棚２７を水平状態のままでラックＲ内にその前面側より挿入し、図１４及び図１５の（Ｄ）に示すように、後横桟２９の後側面両端部を左右後柱２，２の夫々前面２ａ，２ａに当接させて係止金具３１，３１を左右後柱２，２の係止孔１０，１０に係止させ、前横桟２９の後側面両端部を左右前柱１，１の夫々前面１ａ，１ａに当接させて係止金具３２，３２を左右前柱１，１の係止孔１０，１０に係止させることにより、中棚２７をラックＲ内の所要高さ位置に簡単容易にして迅速に取り付けることができる。また、この中棚２７を使用することにより、ラックＲ内部を上下に仕切ってラックＲの内部を有効に使用することができる。
【００３６】
図１７は、ラックＲの左右側面側にサイドガードＳＧを取り付け、背面側に背面ガードＢＧを取り付けた状態を示す。尚、図１７では、逆立状態のラックＲにサイドガードＳＧ及び背面ガードＢＧを取り付けているが、ラックＲは正立状態でもよい。図１８の（Ａ）は背面ガードＢＧを示す斜視図、（Ｂ）は（Ａ）の矢印ルで示す部分の拡大図である。図１９の（Ａ）はサイドガードＳＧを示す斜視図、（Ｂ）は（Ａ）の矢印オで示す部分の拡大図、（Ｃ）は（Ａ）の矢印ワで示す部分の斜視図である。
【００３７】
背面ガードＢＧは、図１８に示すように、周枠３３と格子状中桟３４とからなるもので、周枠３３の左右両側の夫々上下両端には、係止片３５ａが下向きに突出した横向きＬ字状の係止金具３５を備え、各係止金具３５の係止片３５ａが、後柱２の内側面に設けられた金具受け２２に係止されるようになっている。しかして、背面ガードＢＧの取付けにあたっては、この背面ガードＢＧを左右後柱２，２と後部上梁４と積載床３の後横梁７との間の空間部に配置して、周枠３３の両側にある係止金具３５の係止片３５ａを、後柱２の各金具受け２２に対しその上方より係止させればよい。この背面ガードＢＧは、ラックＲを上下逆にしても取付け可能である。
【００３８】
サイドガードＳＧは、図１９に示すように、周枠３６と格子状中桟３７とからなるもので、周枠３６の上端側にはその左右両端部に、係止片３８ａが上向きに突出した横向き略Ｓ字状の係止金具３８，３８を備え、周枠３６の下端側にはその左右両端部に、同様な係止片３９ａが下向きに突出した横向き略Ｓ字状の係止金具３９，３９を備えている。尚、係止金具３８は、周枠３６と略同一平面状に取り付けてあるが、係止金具３９は、取付片４０を介して周枠３６の内側へ寄った位置に取り付けられている。
【００３９】
しかして、サイドガードＳＧの取付けに際しては、このサイドガードＳＧを、前柱１と後柱２とサイド上梁５と積載床３の縦梁８との間の空間部に配置して、図１７に示すように、係止金具３８の係止片３８ａを、サイド上梁５に設けてある前後方向に開通する金具受け１８に対しその前後方向に挿入して係止させ、また係止金具３９の係止片３９ａを、積載床３の縦梁８に設けてある前後方向に開通する金具受け２０に対し夫々前後方向に挿入して係止させることにより、サイドガードＳＧを取り付けることができる。
【００４０】
図２０の（Ａ）は、少なくとも２台の入れ子式ラックＲを、夫々逆立した状態で連結床４１を介して連結してなる連結ラックの実施形態を示したものである。同図の（Ｂ）は（Ａ）の矢印カで示す部分の拡大斜視図、（Ｃ）は（Ａ）の矢印ヨで示す部分の拡大斜視図である。また図２１の（Ａ）は連結床４１の平面図、（Ｂ）は正面図、（Ｃ）は側面図である。連結床４１は、図２１の（Ａ）から分かるように、前後の横梁４２，４３、左右縦梁及び格子状中間梁からなるもので、前後各横梁４２，４３の長さＬは、左右の縦梁４４，４４の外法間隔Ｗ６　よりも梁２個分程度長い。そして、前横梁４２の前面側両端部には前部受け金具２４に係止される係止金具４６，４６が設けられ、後横梁４３の背面側両端部には後部受け金具２５に係止される係止金具４７，４７が設けられている。
【００４１】
しかして、図２０の（Ａ）に例示するように、逆立した２台のラックＲ，Ｒの積載床３，３を連結床４１を介してブリッジ式に連結した連結ラックＲを形成する場合には、逆立状態の２台のラックＲ，Ｒの間に連結床４１を介在させ、この連結床４１の左端側にある係止金具４６，４７のうちの前部の係止金具４６を、同図（Ｃ）に示すように左側のラックＲの前部受け金具２４に対しその上方より落とし込んで係止すると共に、後部の係止金具４７を、同図の（Ｂ）に示すように同左側ラックＲの後部受け金具２５に対しその上方より落とし込んで係止し、また連結床４１の右端側にある係止金具４６，４７を、右側のラックＲの前部受け金具２４及び後部受け金具２５に対し夫々上方より落とし込んで係止すればよい。これと同じ要領で、３台以上のラックＲ…を、隣合うラックＲ，Ｒ間に連結床４１を介在させた状態で、その連結床４１とラックＲの積載床３とが交互に連結し連結ラックを簡単容易に構成することができる。
【００４２】
このような連結ラックによれば、図２０の（Ａ）から分かるように、逆立状態にある例えば２台のラックＲ，Ｒを連結床４１を介して連結するので、逆立状態の３台のラックＲ，Ｒ，Ｒを相互に直接連結する場合に比べると、前後左右４本の柱１，１，２，２と、左右のサイド上梁５，５及び後部上梁４の３本の梁を省略できる。また、その連結にあたっては、連結床４１の一端側にある係止金具４６，４７を一方のラックＲの前部及び後部の受け金具２４，２５に対し夫々上方より落とし込んで係止すればよいから、連結作業が簡単容易となる。また、連結床４１とラックＲの積載床３とが段差を形成することなく同一水平面に連結されるので、連結床４１をこれに隣合う積載床３と全く同様に使用でき、使い勝手が良い。
【００４３】
図２２の（Ａ）は、図１７に示すように逆立状態のラックＲの左右側面側に立設されるトップサイドガードＴＳＧの正面図、（Ｂ）は平面図、（Ｃ）は（Ａ）の矢印タで示す部分の拡大正面図、（Ｄ）は（Ｂ）の矢印レで示す部分の拡大平面図、（Ｅ）は（Ｃ）で示す部分の側面図である。図２３の（Ａ）は、同じく逆立状態としたラックＲの背面側に立設されるトップ背面ガードＴＢＧの正面図、（Ｂ）は平面図、（Ｃ）は側面図である。トップサイドガードＴＳＧは、周枠４８と格子状中格子状中桟４９とからなり、周枠４８の一端側下部には、前柱１の下端部にある嵌合穴１４（図７参照）に嵌合する嵌合部材５０が下向きに突設され、周枠４８の他端側上下部には、後述するトップ背面ガードＴＢＧの両端側上下部に設けられた金具受け５４，５４に係止されるＬ字状の係止金具５１，５１が下向きに突出するように設けてある。トップ背面ガードＴＢＧは、周枠５２と格子状中格子状中桟５３とからなるもので、周枠５２の両端部には夫々上下部に、トップサイドガードＴＳＧの上下の係止金具５１，５１を受ける金具受け５４，５４が設けられ、周枠５２の下端部には、図７の（Ｂ）に示すように後柱２下端部の内側に隣接して設けられた補助部材２６の開口部２６ａに嵌合する嵌合部材５５が下向きに突設されている。
【００４４】
しかして、これらトップサイドガードＴＳＧ及びトップ背面ガードＴＢＧの取付けにあたっては、先ずトップ背面ガードＴＢＧを、逆立状態のラックＲの背面側に配置し、嵌合部材５５，５５を、両後柱２，２の下端部にある補助部材２６，２６の開口部２６ａ，２６ａに嵌合することにより、トップ背面ガードＴＢＧを図１７に示すように立設する。この後、トップサイドガードＴＳＧの一端側下部に突出する嵌合部材５０を前柱１下端の嵌合穴１４に嵌合すると共に、他端側上下部にあるＬ字状係止金具５１，５１を、トップ背面ガードＴＢＧの金具受け５４，５４に夫々係止することによって、図１７に示す状態に立設する。
【００４５】
上記のように、逆立状態でのラックＲの使用時に、トップサイドガードＴＳＧ及びトップ背面ガードＴＢＧを取り付けることによって、積載床３上に保管した物品の落下防止を図ることができる。また、このトップサイドガードＴＳＧ及びトップ背面ガードＴＢＧは、迅速容易にして且つ安定状態に取り付けことができる。
【００４６】
【発明の効果】
請求項１に係る発明の入れ子式ラックによれば、積載床が前後左右の４本の柱の下端側に位置する状態を正立状態として、この正立状態及び逆立状態の何れの状態でも同じ構造の他のラックを上下に安定状態に積み重ねでき、また不使用時は正逆何れの状態でも互いに他のラックを入れ子式に安定状態に収納することができる。また、正逆何れの状態でも積み重ねできるから、保管すべき物品の材質などに応じて正立状態と逆立状態とを適宜に使い分けすることができる。
【００４７】
請求項２に係る発明の入れ子式ラックによれば、逆立状態にある少なくとも２台の入れ子式ラックを連結床を介して連結するので、逆立状態の複数台のラックを相互に連結する場合に比べ、前後左右４本の柱と、左右サイド上梁及び後部上梁の３本の梁を省略できる。その連結にあたっては、連結床の一端側にある係止金具を一方のラックの前部及び後部の受け金具に対し夫々上方より落とし込んで係止すればよいから、連結作業が簡単容易となる。
【００４８】
請求項３に係る発明の入れ子式ラックによれば、同じ構造のラックを左右側面同士隣接した状態に簡単容易に連結することができる。
【００４９】
請求項４に係る発明の入れ子式ラックによれば、同じ構造のラックを背面同士隣接した状態に簡単容易に連結することができる。
【００５０】
請求項５に係る発明の入れ子式ラックによれば、例えば中棚を取り付ける場合に、その中棚を水平状態のままラック内に挿入し、前柱及び後柱の夫々前面に設けてある金具係止孔を利用して所要高さ位置に簡単に取り付けることができる。また、前柱及び後柱は夫々、断面コ字状又はＣ字状の前面側柱材と断面方形の背面側柱材とを一体的に結合して形成し、前面側柱材の前面に柱長手方向一定ピッチで金具係止孔を設けているから、金具係止孔を設けたことによって柱としての強度が低下することがない。
【００５１】
請求項６に係る発明の入れ子式ラックによれば、サイドガードを簡単容易に取り付けることができると共に、このサイドガードによってラックの耐震性を強化することができる。
【００５２】
請求項７に係る発明の入れ子式ラックによれば、逆立状態でのラックの使用時にトップサイドガード及びトップ背面ガードを取り付けることによって、積載床上に保管した物品の落下を防止できる。また、このトップサイドガード及びトップ背面ガードを迅速容易にして且つ安定状態に取り付けることができる。
【図面の簡単な説明】
【図１】本発明に係るラックを正立状態で示す斜視図である。
【図２】（Ａ）はラックの正面図、（Ｂ）は（Ａ）のＶ−Ｖ線断面図であ
る。
【図３】（Ａ）はラックの右側面図、（Ｂ）はその背面図である。
【図４】（Ａ）は図１の矢印イで示す部分の拡大図、（Ｂ）は図１の矢印
ロで示す部分の拡大図である。
【図５】（Ａ）は図１の矢印ハで示す部分の拡大図、（Ｂ）は図１の矢印
ニで示す部分の拡大図である。
【図６】図１に示す正立状態のラックを逆立状態で示す斜視図である。
【図７】（Ａ）は図６の矢印ホで示す部分の拡大図、（Ｂ）は図６の矢印
ヘで示す部分の拡大図である。
【図８】ラックを正立状態で上下に積み重ねた状態の斜視図である。
【図９】正立状態のラック内部に他のラックを収納した状態を示す斜視図
である。
【図１０】ラックを逆立状態で上下に積み重ねた状態の斜視図である。
【図１１】逆立状態のラック内部に他のラックを収納した状態の斜視図で
ある。
【図１２】（Ａ）は互いに隣合うラック同士を連結金具によって連結する実施形態の斜視図、（Ｂ）は連結金具を示す斜視図、（Ｃ）は（Ａ）の矢印トで示す部分の拡大図、（Ｄ）は両金具受けに亘って連結金具係着した状態で、
ラックの背面同士を連結する場合を示す。
【図１３】（Ａ）は左右側面同士隣合うラックの金具受け同士が隣接した状態ならびに連結金具を示す斜視図、（Ｂ）は両金具受けに連結金具を係着しようとしている状態を示す斜視図、（Ｃ）は両金具受けに連結金具を係着し終
えた状態の斜視図である。
【図１４】正立状態のラックに中棚を取り付けた状態を示す図１と同様な
斜視図である。
【図１５】（Ａ）は中棚を示す平面図、（Ｂ）は正面図、（Ｃ）は側面図
、（Ｄ）は中棚の取付状態の要部を示す斜視図である。
【図１６】（Ａ）の（ａ）　は図１５の（Ａ）の矢印リで示す部分の拡大図、（ｂ）　は同部分の側面図、（ｃ）　は同部分の正面図であり、（Ｂ）の（ａ）　は図１５
の（Ａ）の矢印ヌで示す部分の拡大図、（ｂ）　は同部分の側面図である。
【図１７】ラックの左右側面側にサイドガードを取り付け、背面側に背面
ガードを取り付けた状態を示す斜視図である。
【図１８】（Ａ）は背面ガードを示す斜視図、（Ｂ）は（Ａ）の矢印ルで
示す部分の拡大図である。
【図１９】（Ａ）はサイドガードを示す斜視図、（Ｂ）は（Ａ）の矢印オ
で示す部分の拡大図、（Ｃ）は（Ａ）の矢印ワで示す部分の斜視図である。
【図２０】（Ａ）は２台の入れ子式ラックを夫々逆立した状態で連結床を介して連結してなる連結ラックの実施形態を示す斜視図、（Ｂ）は（Ａ）の矢印カで示す部分の拡大斜視図、（Ｃ）は（Ａ）の矢印ヨで示す部分の拡大斜視
図である。
【図２１】（Ａ）は連結床４１の平面図、（Ｂ）正面図、（Ｃ）は側面図
である。
【図２２】（Ａ）はトップサイドガードを示す正面図、（Ｂ）は平面図、（Ｃ）は（Ａ）の矢印タで示す部分の拡大正面図、（Ｄ）は（Ｂ）の矢印レで
示す部分の拡大平面図、（Ｅ）は（Ｃ）で示す部分の側面図である。
【図２３】（Ａ）はトップ背面ガードの正面図、（Ｂ）は平面図、（Ｃ）
は側面図である。
【符号の説明】
Ｒ　　　　　ラック
１　　　　　前柱
２　　　　　後柱
３　　　　　積載床
４　　　　　後部上梁
５　　　　　サイド上梁
１１　　　　短寸柱
１２　　　　収納用嵌合突起
１３　　　　積み重ね用嵌合突起
１４　　　　嵌合穴
１７　　　　積み重ね用柱下端部嵌合部
１８　　　　金具受け
２０　　　　金具受け
２２　　　　金具受け
２４　　　　前部受け金具
２５　　　　後部受け金具
４１　　　　連結床
【図１】
2004115037.tif 000003
【図２】
2004115037.tif 000004
【図３】
2004115037.tif 000005
【図４】
2004115037.tif 000006
【図５】
2004115037.tif 000007
【図６】
2004115037.tif 000008
【図７】
2004115037.tif 000009
【図８】
2004115037.tif 000010
【図９】
2004115037.tif 000011
【図１０】
2004115037.tif 000012
【図１１】
2004115037.tif 000013
【図１２】
2004115037.tif 000014
【図１３】
2004115037.tif 000015
【図１４】
2004115037.tif 000016
【図１５】
2004115037.tif 000017
【図１６】
2004115037.tif 000018
【図１７】
2004115037.tif 000019
【図１８】
2004115037.tif 000020
【図１９】
2004115037.tif 000021
【図２０】
2004115037.tif 000022
【図２１】
2004115037.tif 000023
【図２２】
2004115037.tif 000024
【図２３】
2004115037.tif 000025